(57)【要約】【課題】  携帯電話装置の使用が制限されている場所あるいは状況下で携帯電話装置を動作すべき適切な動作モードに設定する正当な装置からの情報に従って携帯電話装置を正当な動作モードに設定する携帯電話装置を提供する。【解決手段】  認証手段が携帯電話装置を使用場所又は使用状況に合わせて適切に動作させるための動作モードを送信する装置の正当な装置ＩＤと、この装置が設定された位置情報と、により構成された第１の管理テーブルを備え、位置情報入力手段により検知された位置情報がこの第１の管理テーブルの位置情報と一致した時に、受信手段により送信された動作モード設定情報の装置ＩＤが第１の管理テーブルの正当な装置ＩＤであるか認証し、制御手段が前記認証手段での認証結果に基づいて携帯電話装置の動作を制御する。【選択図】        図１
2006033331.tif 000002
【特許請求の範囲】
【請求項１】
携帯電話装置を使用場所又は使用状況に合わせて適切に動作させるための動作モードとこの動作モードを送信する装置の装置ＩＤとにより構成された動作モード設定情報を受信する受信手段と、
前記携帯電話装置の位置情報を検知する位置情報入力手段と、
前記装置の正当な装置ＩＤとこの装置が設定された位置情報とにより構成された第１の管理テーブルを備え、前記位置情報入力手段により検知された位置情報が前記第１の管理テーブルの位置情報と一致した時に前記受信手段により受信された前記動作モード設定情報の装置ＩＤが前記第１の管理テーブルの正当な装置ＩＤであるか認証する認証手段と、
前記認証手段での認証結果に基づいて前記携帯電話装置の動作を制御する制御手段と、を備えたことを特徴とする携帯電話装置。
【請求項２】
前記動作モード設定情報を記憶する記憶手段を備え、
前記制御手段は、前記受信手段により受信された前記動作モード設定情報を前記記憶手段に記憶し、又前記携帯電話装置の発信又は着信を検知すると前記位置情報入力手段に前記携帯電話装置の位置情報の検知を指示し、
前記認証手段は、前記位置情報入力手段により検知された位置情報が前記第１の管理テーブルの位置情報と一致した時に前記記憶手段に記憶された前記動作モード設定情報の装置ＩＤが前記第１の管理テーブルの正当な装置ＩＤであるか認証することを特徴とする請求項１記載の携帯電話装置。
【請求項３】
前記第１の管理テーブルは、基地局に備えられ、
前記制御手段は、前記位置情報入力手段により検知された位置情報を前記基地局に送信し、前記基地局から送信された前記位置情報に対応した正当な装置の装置ＩＤを前記認証手段に送信し、
前記認証手段は、前記受信手段により受信された前記動作モード設定情報の装置ＩＤが前記基地局より送信された正当な装置ＩＤであるか認証することを特徴とする請求項１記載の携帯電話装置。
【請求項４】
前記認証手段および前記基地局は、前記装置の正当な装置ＩＤとこの装置が設定された位置情報とこの位置での動作モードとにより構成された第２の管理テーブルを備え、
前記制御部は、前記制御手段により前記動作モード設定情報の装置ＩＤが自らが保持する前記第２の管理テーブルの正当な装置ＩＤであると認証され、かつ前記動作モード設定情報の動作モードが自らが保持する前記第２の管理テーブルの動作モードと一致しない時には、前記位置情報入力手段により検知された前記携帯電話装置の位置情報を前記基地局に送り、又前記基地局から送信された前記動作モード設定情報に基づいて前記携帯電話装置の動作を制御することを特徴とする請求項３記載の携帯電話装置。
【請求項５】
前記制御部は、前記基地局に前記第１の管理テーブル又は前記第２の管理テーブルの要求を送信し、又前記基地局より返信された前記第１の管理テーブル又は前記第２の管理テーブルを自らが保持する前記第１の管理テーブル又は前記第２の管理テーブルと変更することを特徴とする請求項４記載の携帯電話装置。
【発明の詳細な説明】
【技術分野】
【０００１】
この発明は、使用が制限される場所あるいは状況で自動的に動作を制御することができる携帯電話装置に関するものである。
【背景技術】
【０００２】
従来の携帯電話装置は、制御情報を発生する無線送信装置から送信される制御情報を受けるための無線受信手段と、この制御信号に応じて携帯電話装置を動作させる手段によって、携帯電話装置の使用を制限される場所あるいは状況において自動的に動作を制御していた(例えば、特許文献１)。
【特許文献１】特開２００１−２５０６２号公報
【発明の開示】
【発明が解決しようとする課題】
【０００３】
従来の携帯電話装置は、携帯電話装置の使用を制限される場所あるいは状況において、無線送信装置から送信される制御情報を無条件に受け入れるため、もし悪意を持った第三者が故意に誤った制御情報を送信した場合、携帯電話装置利用者は誤った情報に基づいて携帯電話装置の制御が行われるために、利便性がそこなわれることがあった。また、携帯電話装置の制御を行うべき正当な管理者から送信される制御情報に基づいて過剰に携帯電話装置の使用の制限がされる場合もあった。
【０００４】
この発明は、上記のような問題点を解決するためになされたもので、携帯電話装置の使用が制限されている場所あるいは状況下に携帯電話装置の使用者がいる時に、使用者自身が特別な操作を行わなくとも、携帯電話装置の使用が制限されている場所あるいは状況下で動作すべき正当かつ適切な動作モードに動作条件が自動的に設定される携帯電話装置を提供することを目的とする。
【課題を解決するための手段】
【０００５】
この発明に係る携帯電話装置は、携帯電話装置を使用場所又は使用状況に合わせて適切に動作させるための動作モードとこの動作モードを送信する装置の装置ＩＤとにより構成された動作モード設定情報を受信する受信手段と、
前記携帯電話装置の位置情報を検知する位置情報入力手段と、
前記装置の正当な装置ＩＤとこの装置が設定された位置情報とにより構成された第１の管理テーブルを備え、前記位置情報入力手段により検知された位置情報が前記第１の管理テーブルの位置情報と一致した時に前記受信手段により受信された前記動作モード設定情報の装置ＩＤが前記第１の管理テーブルの正当な装置ＩＤであるか認証する認証手段と、
前記認証手段での認証結果に基づいて前記携帯電話装置の動作を制御する制御手段と、を備えたものである。
【発明の効果】
【０００６】
この発明は、以上説明したように、認証手段が携帯電話装置を使用場所又は使用状況に合わせて適切に動作させるための動作モードを送信する装置の正当な装置ＩＤと、この装置が設定された位置情報と、により構成された第１の管理テーブルを備え、位置情報入力手段により検知された位置情報がこの第１の管理テーブルの位置情報と一致した時に、受信手段により送信された動作モード設定情報の装置ＩＤが第１の管理テーブルの正当な装置ＩＤであるか認証し、制御手段が前記認証手段での認証結果に基づいて携帯電話装置の動作を制御することにより、携帯電話装置の使用が制限されている場所あるいは状況下で携帯電話装置を動作すべき適切な動作モードに設定する正当な装置からの情報に従って携帯電話装置を正当な動作モードに設定できる。
【発明を実施するための最良の形態】
【０００７】
実施の形態１．
図１は、実施の形態１の携帯電話装置の構成図である。
図１において、１０１は基地局(図示せず)との間での無線通信信号を送受信するアンテナ、１０２は無線通信信号の周波数変換を行う無線送受信部、１０３は変復調部、１０４は誤り訂正符号化復号化部、１０５は音声符号化復号化部である。１０６は音声信号を出力する受話部であり、例えば音声が出力される携帯電話装置のスピーカー部のような音声出力部である。１０７は音声信号を入力する送話部であり、例えば、音声を入力する携帯電話装置のマイクロフォン部のような音声入力部である。
【０００８】
１０８は携帯電話装置内の機能モジュールの制御を行う制御部、１０９は着信を音/振動/光で知らせる受信通知部、１１０は着信音を出力する鳴動部、１１１は携帯電話装置を振動する振動部、１１２はＬＥＤを点滅するＬＥＤ部、１１３は動作モード設定情報を受信するアンテナ、１１４は周波数変換を行う受信部、１１５は受信した動作モード設定情報を認証する認証部、１１６は携帯電話装置の物理的な位置を検知する位置情報入力部、１１７は記憶部、１１８は入力部、１１９は表示部、１２０は撮像部である。
【０００９】
次に動作について説明する。
基地局から送られた無線通信信号は、携帯電話装置のアンテナ１０１を介して無線送受信部１０２に入力され、中間周波信号に変換される。そして、この受信中間周波信号は、デジタル変復調部１０３によりデジタル復調され、デジタル復調された受信信号は、誤り訂正符号化復号化部１０４で復号化される。ここで、誤り訂正符号化復号化部１０４で復号化され出力される信号には、デジタル通話信号とデジタル制御信号とがあり、このうちデジタル制御信号は、制御部１０８に供給され識別される。一方、デジタル通話信号は、音声符号化復号化部１０５で復号化処理されて、アナログ通話信号に戻された後、受話部１０６から出力される。即ち、デジタル通話信号は、アナログ通話信号に戻された後、例えば、スピーカーなどの受話部１０６から音声が出力される。
【００１０】
これに対し、送話音声は、送話部１０７で送話信号に変換された後、音声符号化復号化部１０５で符号化によりデジタル送話信号に変換される。このデジタル送話信号は、制御部１０８で生成されるデジタル制御信号と共に、誤り訂正符号化復号化部１０４で符号化された後、デジタル変復調部１０３に入力され、直交変調信号に変調される。そして、変調信号は、無線送受信部１０２で所定の無線チャネルの高周波信号に変換された後、アンテナ１０１から基地局に送信される。着信通知部１０９は、着信があった時、鳴動部１１０や振動部１１１、LED部１１２を動作させ、使用者に着信を知らせる。この時、着信通知部１０９が何を動作させるかは、予め使用者が入力部１１９を操作して選択する。
【００１１】
次に、携帯電話装置の動作モードの設定が要求される場所あるいは状況下における携帯電話装置の処理動作について説明する。
図２は、携帯電話装置の動作モードの設定が要求される場所あるいは状況下における携帯電話装置の処理動作を示すフローチャートである。
まず、受信部１１４は、動作モード設定情報を受信すると、制御部１０８と認証部１１５と位置情報入力部１１６とに動作モード設定情報を送信する（ステップＳ１）。ここで、動作モード設定情報は、動作モード設定情報を送信した装置の装置ＩＤと、携帯電話装置の使用が制限されている場所あるいは状況下で携帯電話装置を適切に動作させるための動作モードと、により構成される。
【００１２】
動作モード設定情報は、携帯電話装置の使用が制限されている場所あるいは状況下で携帯電話装置を動作すべき適切な動作モードに変更する必要がある時に、その場所に設置されている装置などからアンテナ１１３を介して受信部１１４に送信されるものである。例えば、動作モード設定情報は、電車の中や様々なイベント会場の中など、携帯電話装置の着信動作を振動によるマナーモードに変更する必要がある場所に設置された装置から送信されるものである。
【００１３】
位置情報入力部１１６は、受信部１１４から送信された動作モード設定情報を受信すると、携帯電話装置の現在の物理的な位置情報を検出し(例えばＧＰＳを使用する)、この検出した携帯電話装置の位置情報を認証部１１５に送る（ステップＳ２）。
認証部１１５は、物理的な位置情報と、この位置情報の位置での正当な装置の装置ＩＤとにより構成された管理テーブルを予め備え、位置情報入力部１１６から携帯電話装置の位置情報を受信すると、この受信した位置情報に対応する位置情報が管理テーブルに存在する場合には、受信部１１４により送信された動作モード設定情報中の装置ＩＤが予め管理テーブに記憶された正当な装置ＩＤと同一であるか認証し、この認証結果を制御部１０８に送信する（ステップＳ３）。
【００１４】
なお、管理テーブルの位置情報と装置ＩＤとは、携帯電話装置の使用が制限されている場所あるいは状況下の位置とこの位置で携帯電話装置を動作すべき適切な動作モードに設定するための情報を送信することのできる正当な装置の装置ＩＤとを示すものである。
また、図３は管理テーブルの一例を示した図である。
【００１５】
制御部１０８は、認証部１１５により送信された認証結果に基づいて動作モードの切り替えを行う（ステップＳ４）。ここで、装置ＩＤが正当であれば、即ち、受信部１１４により送信された動作モード設定情報の装置ＩＤが管理テーブルの装置に登録された正当な装置の装置ＩＤと同一であると認証された場合には、動作モード設定情報に従い、携帯電話装置の動作モードを携帯電話装置の使用が制限されている場所あるいは状況下の位置で携帯電話装置を動作すべき適切な動作モードに切り替える（ステップＳ５）。例えば、携帯電話装置の使用が制限されている場所や状況に応じて携帯電話装置の動作状態を鳴動部１１０での動作状態から振動部１１１での動作状態に着信通知時の動作状態を切り替える等の動作切り替えを行う。
【００１６】
一方、制御部１０８は、装置ＩＤが正当でなければ、即ち、動作モード設定情報を送信した装置の装置ＩＤが正当な装置の装置ＩＤと同一でないと認証されなかった場合には、携帯電話装置の動作モードの切り替えは行わない（ステップＳ６）。
なおこの時、制御部１０８は、動作モードを切り替えた時に、携帯電話装置の使用者に現在の動作モードが分かるように表示部１１９に切り替えた後の現在の動作モードを表示するようにしてもよい。
【００１７】
以上のように本実施の形態によれば、アンテナ１１３を介して受信部１１４が動作モード設定情報を受信し、位置情報入力部１１６が携帯電話装置の現在の位置情報を検出し、認証部１１５がこの携帯電話装置の位置情報に従って動作モード設定情報の装置ＩＤの認証を行い、制御部１０８が正当な装置ＩＤの場合のみ携帯電話装置の動作モードを切り替えるようにしているので、携帯電話装置の使用が制限されている場所あるいは状況下で携帯電話装置を動作すべき適切な動作モードに設定する正当な装置からの情報に基づいて携帯電話装置を正当な動作モードに設定できる。また、使用者自身が特別な操作を行わなくとも、携帯電話装置の使用が制限されている場所あるいは状況下で動作すべき正当かつ適切な動作モードに動作条件が自動的に設定されるので、携帯電話装置の使用者の利便性を向上させることができる。
【００１８】
実施の形態２．
実施の形態１では、認証部が動作モード設定情報を受信したタイミングで認証を行うようにしたものであるが、本実施の形態では発着信時に認証する場合について説明する。
図４は、実施の形態２の携帯電話装置の構成図であり、図１と同一符号は同一又は相当部分を示し説明を省略する。
図４において、３０１は携帯電話装置内の機能モジュールの制御を行う制御部、３０２は周波数変換を行う受信部、３０３は受信した動作モード設定情報を認証する認証部、３０４は携帯電話装置の物理的な位置を検知する位置情報入力部、３０５は動作モード設定情報を送信した装置の装置ＩＤと、携帯電話装置を使用が制限されている場所あるいは状況下で適切に動作させるための動作モードとにより構成された動作モード制御情報を一時的に記憶する記憶部である。
【００１９】
次に動作について説明する。
受信部３０２は、動作モード設定情報を受信すると、制御部３０１に動作モード設定情報を送信する。制御部３０１は、動作モード設定情報を記憶部３０５に記憶する。一方、制御部３０１は、発信又は着信を検知すると、位置情報入力部３０４に携帯電話装置の物理的な位置情報の取得を指示する。位置情報入力部３０４は、携帯電話装置の物理的な位置情報を検出し(例えばＧＰＳを使用する)、この検出した携帯電話装置の位置情報を認証部３０３に送る。
【００２０】
ここで、上記に記載したような制御部３０１が発信を検知するとは、入力部１１８に入力情報が入力されたことを制御部３０１が検知した時を示すもので、例えば携帯電話装置でメール送信をする場合にはメール送信ボタンを押したことが検知された時、あるいは携帯電話装置で電話をかける場合には電話番号を押したことが検知された時などを示すものである。
また、制御部３０１が着信を検知するとは、送受信部１０２に基地局から送られた無線通信信号が着信したことを制御部３０１が検知した時を示すものである。
【００２１】
認証部３０３は、位置情報入力部３０４から携帯電話装置の位置情報を受信すると、この受信した位置情報に対応する位置情報が管理テーブルに存在する場合には、記憶部３０５に記憶された動作モード設定情報中の装置ＩＤが予め管理テーブに記憶された正当な装置の装置ＩＤと同一であるか認証し、この認証結果を制御部３０１に送信する
【００２２】
制御部３０１は、認証部３０３により送信された認証結果に基づいて動作モードの切り替えを行う。ここで、装置ＩＤが正当であれば、即ち、記憶部３０５に記憶された動作モード設定情報の装置ＩＤが管理テーブルの装置に登録された正当な装置の装置ＩＤと同一であると認証された場合には、動作モード設定情報に従い、携帯電話装置の動作モードを携帯電話装置の使用が制限されている場所あるいは状況下の位置で携帯電話装置を動作すべき適切な動作モードに切り替える。
【００２３】
一方、制御部３０１は、装置ＩＤが正当でなければ、即ち、動作モード設定情報を送信した装置の装置ＩＤが正当な装置の装置ＩＤと同一でないと認証されなかった場合には、携帯電話装置の動作モードの切り替えは行わない。
なおこの時、制御部３０１は、動作モードを切り替えた時に、携帯電話装置の使用者に現在の動作モードが分かるように表示部１１９に切り替えた後の現在の動作モードを表示するようにしてもよい。
以上のように本実施の形態によれば、制御部３０１が発信又は着信を検知した時にだけ認証部３０３が携帯電話装置の位置情報に従って動作モード設定情報の装置ＩＤの認証を行い、制御部３０１が正当な装置ＩＤの場合のみ携帯電話装置の動作モードを切り替えるようにしているので、認証部３０３が動作モード設定情報を受信したタイミングで認証を行うことがなく、認証動作回数を低減することができ、携帯電話装置の消費電力を抑えると共に、使用者の利便性を不当に制限することがない。
【００２４】
実施の形態３．
実施の形態１では、認証部が内部の管理テーブルを用いて認証を行うようにしたものであるが、本実施の形態では基地局内の管理テーブルを用いて認証する場合について説明する。
図５は、実施の形態３の携帯電話装置の構成図であり、図１と同一符号は同一又は相当部分を示し説明を省略する。
図５において、４０１は携帯電話装置内の機能モジュールの制御を行う制御部、４０２は認証部である。ここで、図５には図示していないが、本実施の形態では実施の形態１で説明したと同様の管理テーブルを基地局が保持している。
【００２５】
次に動作について説明する。
受信部１１４は、動作モード設定情報を受信すると、制御部４０１と認証部４０２と位置情報入力部１１６とに動作モード設定情報を送信する。ここで、動作モード設定情報は、動作モード設定情報を送信した装置の装置ＩＤと、携帯電話装置を使用が制限されている場所あるいは状況下で適切に動作させるための動作モードと、により構成される。
位置情報入力部１１６は、受信部１１４から送信された動作モード設定情報を受信すると、携帯電話装置の現在の物理的な位置情報を検出し(例えばＧＰＳを使用する)、この検出した携帯電話装置の位置情報を制御部４０１に渡す。
【００２６】
制御部４０１は、携帯電話装置の位置情報を受信すると、この位置情報を誤り訂正符号化復号化部１０４で誤り訂正符号を生成し、変復調部１０３で変調した後、送受信部１０２、アンテナ１０１を介して、基地局に送信する。
基地局は、位置情報を受信すると、この位置情報に対応する位置情報が自らが保持する管理テーブルに存在する場合には、この位置情報に対応する正当な装置の装置ＩＤを携帯電話装置の制御部４０１に送る。
【００２７】
制御部４０１は、アンテナ１０１、送受信部１０２を介して、変復調部１０３で正当な装置の装置ＩＤを復調し、誤り訂正符号化復号化部１０４で誤りが無いことを確認した後、正当な装置の装置ＩＤを認証部４０２に送る。
認証部４０２は、受信部１１４により送信された動作モード設定情報中の装置ＩＤが基地局から受信した装置ＩＤ、即ち制御部４０１により送信された正当な装置の装置ＩＤと同一であるか認証し、この認証結果を制御部４０１に送信する。
【００２８】
制御部４０１は、認証部４０２により送信された認証結果に基づいて動作モードの切り替えを行う。ここで、装置ＩＤが正当であれば、即ち、受信部１１４により送信された動作モード設定情報の装置ＩＤが基地局から受信した装置ＩＤ、即ち制御部４０１により送信された正当な装置の装置ＩＤと同一であると認証された場合には、動作モード設定情報に従い、携帯電話装置の動作モードを携帯電話装置の使用が制限されている場所あるいは状況下の位置で携帯電話装置を動作すべき適切な動作モードに切り替える。例えば、携帯電話装置の使用が制限されている場所や状況に応じて携帯電話装置の動作状態を鳴動部１１０での動作状態から振動部１１１での動作状態に着信通知時の動作状態を切り替える等の動作切り替えを行う。
【００２９】
一方、制御部４０１は、装置ＩＤが正当でなければ、即ち、動作モード設定情報を送信した装置の装置ＩＤが正当な装置の装置ＩＤと同一でないと認証されなかった場合には、携帯電話装置の動作モードの切り替えは行わない。
なおこの時、制御部１０８は、動作モードを切り替えた時に、携帯電話装置の使用者に現在の動作モードが分かるように表示部１１９に切り替えた後の現在の動作モードを表示するようにしてもよい。
【００３０】
以上のように本実施の形態によれば、認証部４０２が基地局の保持している管理テーブルに存在する正当な装置の装置ＩＤに基づいて受信部１１４により送信された動作モード設定情報中の装置ＩＤの認証を行い、制御部４０１が正当な装置ＩＤの場合のみ携帯電話装置の動作モードを切り替えるようにしているので、認証管理データを基地局側で一元管理できる。また、使用者自身が特別な操作を行わなくとも、携帯電話装置の使用が制限されている場所あるいは状況下で動作すべき正当かつ適切な動作モードに動作条件が自動的に設定されるので、携帯電話装置の使用者の利便性を向上させることができる。
【００３１】
実施の形態４．
実施の形態３では、制御部が認証の度に基地局に携帯電話装置の位置情報を送り、認証部が基地局から送信された正当な装置の装置ＩＤに基づいて受信部により送信された動作モード設定情報中の装置ＩＤの認証を行うようにしたものであるが、本実施の形態では、認証部の内部の管理テーブル情報と基地局の管理テーブルとに不整合が生じた場合のみ基地局に携帯電話装置の位置情報を送り、基地局から正当な装置の装置ＩＤを送信してもらう場合について説明する。
【００３２】
図６は、実施の形態４の携帯電話装置の構成図であり、図４と同一符号は同一又は相当部分を示し説明を省略する。
図６において、５０１は携帯電話装置内の機能モジュールの制御を行う制御部、５０２は認証部である。
また、図７は本実施の形態で用いる管理テーブルの一例を示した図であり、この管理テーブルは、物理的な位置情報と、この位置情報の位置での正当な装置の装置ＩＤと、この位置情報での動作モードとにより構成されている。
【００３３】
次に動作について説明する。
受信部１１４は、動作モード設定情報を受信すると、制御部５０１と認証部５０２と位置情報入力部１１６とに動作モード設定情報を送信する。ここで、動作モード設定情報は、動作モード設定情報を送信した装置の装置ＩＤと、携帯電話装置を使用が制限されている場所あるいは状況下で適切に動作させるための動作モードと、により構成される。
位置情報入力部１１６は、受信部１１４から送信された動作モード設定情報を受信すると、携帯電話装置の現在の物理的な位置情報を検出し(例えばＧＰＳを使用する)、この検出した携帯電話装置の位置情報を認証部５０２に渡す。
【００３４】
認証部５０２は、物理的な位置情報と、この位置情報の位置での正当な装置の装置ＩＤと、この位置情報での動作モードとにより構成された管理テーブルを予め備え、位置情報入力部１１６から携帯電話装置の位置情報を受信すると、この受信した位置情報に対応する位置情報が管理テーブルに存在する場合には、受信部１１４により送信された動作モード設定情報の装置ＩＤと動作モードとが、管理テーブルの装置ＩＤと動作モードと同一であるか認証し、この認証結果を制御部５０１に送信する。
【００３５】
制御部５０１は、認証部５０２により送信された認証結果に基づいて動作モードの切り替えを行う。即ち、制御部５０１は、装置ＩＤが一致し、かつ動作モードが一致した場合、受信した動作モード設定情報中の動作モードに従い、動作モードの切り替えを行う。
一方、制御部５０１は、装置ＩＤが正当でなければ、即ち、動作モード設定情報を送信した装置の装置ＩＤが正当な装置の装置ＩＤと同じでない場合には、携帯電話装置の動作モードの切り替えは行わない。
【００３６】
また、制御部５０１は、装置ＩＤが正当で、かつ送信された動作モード設定情報の動作モードが管理テーブル内の動作モードと一致しない場合は、誤り訂正符号化復号化部１０４で誤り訂正符号を生成し、変復調部１０３で変調した後、送受信部１０２、アンテナ１０１を介して、基地局に携帯電話装置の位置情報を送信する。
基地局は、位置情報を受信すると、この位置情報に対応する正当な動作モード設定情報を自らが保持する管理テーブルの中から選択し、この選択した動作モード設定情報を携帯電話装置に送信する。
【００３７】
制御部５０１は、アンテナ１０１、送受信部１０２を介して、変復調部１０３で復調され、誤り訂正符号化復号化部１０４で誤りが無いことが確認された動作モード設定情報に従って、携帯電話装置の動作モードを切り替える。即ち、受信部１１４により送信された動作モード設定情報の装置ＩＤと動作モードとが新たに基地局から送信された動作モード設定情報の装置ＩＤと動作モードと同一であるか認証を行い、制御部５０１がこの認証結果に基づいて動作モードの切り替えを行う。
【００３８】
制御部５０１は、携帯電話装置の動作モードを切り替えた時、携帯電話装置の使用者に現在の動作モードが分かるように表示部１１９に表示するようにしてもよい。また、基地局から正当な動作モード設定情報を受信した際に、管理テーブル内の動作モード設定情報を更新するようにしても良い。
以上のように本実施の形態によれば、認証部５０２が内部の管理テーブルに従って装置ＩＤと動作モードの認証を行った時に、装置ＩＤが認証されたが動作モードが不整合で認証されなかった場合にのみ、制御部５０１が基地局に動作モード設定情報の問い合わせして、基地局から送信された正当な動作モード設定情報に従って受信部１１４により送信された動作モード設定情報の装置ＩＤと動作モードとの認証を行うようにしているので、基地局への問い合わせを低減することができる。また、このような基地局への問い合わせを低減できることにより、携帯電話装置の使用制限も少なくなり使用者の利便性を向上させることができる。
【００３９】
実施の形態５．
実施の形態４では、認証時に不整合が発生した場合のみ管理テーブルを更新するようにしたものであるが、本実施の形態では、定期的に管理テーブルを更新する場合について説明する。
図８は、実施の形態５の携帯電話装置の構成図であり、図５と同一符号は同一又は相当部分を示し説明を省略する。
図８において、７０１は携帯電話装置内の機能モジュールの制御を行う制御部、７０２は認証部である。
【００４０】
次に動作について説明する。
制御部７０１は、アンテナ１０１が受信した複数の電波の強度を観測し、観測した電波の内、一番強い電波を送信する基地局と回線を接続する(ハンドオーバー)。制御部７０１は、携帯電話装置の移動に伴い、回線を接続する基地局を変更する際に、誤り訂正符号化復号化部１０４で誤り訂正符号を生成し、変復調部１０３で変調した後、送受信部１０２、アンテナ１０１を介して、基地局に管理テーブルを要求する。
【００４１】
基地局は、管理テーブル要求を受信すると、通話エリア内の位置情報と正当なＩＤ、動作モード設定情報からなる管理テーブルを携帯電話装置に送信する。制御部７０１は、アンテナ１０１、送受信部１０２を介して、変復調部１０３で復調し、誤り訂正符号化復号化部１０４で誤りが無いことを確認した後、管理テーブルを受信し、認証部７０２に管理テーブルの更新を指示する。認証部７０２は、受信した管理テーブルを自らが保持する管理テーブルと変更する。即ち、認証部７０２は自らが保持する管理テーブルの更新を行う。
【００４２】
受信部１１４は、動作モード設定情報を受信すると、制御部７０１と認証部７０２と位置情報入力部１１６とに動作モード設定情報を送信する。ここで、動作モード設定情報は、動作モード設定情報を送信した装置の装置ＩＤと、携帯電話装置を使用が制限されている場所あるいは状況下で適切に動作させるための動作モードと、により構成される。
位置情報入力部１１６は、受信部１１４から送信された動作モード設定情報を受信すると、携帯電話装置の現在の物理的な位置情報を検出し(例えばＧＰＳを使用する)、この検出した携帯電話装置の位置情報を認証部７０２に渡す。
【００４３】
認証部７０２は、物理的な位置情報と、この位置情報の位置での正当な装置の装置ＩＤと、この位置情報での動作モードとにより構成された管理テーブルを予め備え、位置情報入力部１１６から携帯電話装置の位置情報を受信すると、この受信した位置情報に対応する位置情報が管理テーブルに存在する場合には、受信部１１４により送信された動作モード設定情報の装置ＩＤと動作モードとが、管理テーブルの装置ＩＤと動作モードと同一であるか認証し、この認証結果を制御部７０１に送信する。
【００４４】
制御部７０１は、認証部７０２により送信された認証結果に基づいて動作モードの切り替えを行う。即ち、制御部７０１は、装置ＩＤが一致し、かつ動作モードが一致した場合、受信した動作モード設定情報中の動作モードに従い、携帯電話装置動作モードの切り替えを行う。
一方、制御部７０１は、装置ＩＤが正当でなければ、即ち、動作モード設定情報を送信した装置の装置ＩＤが正当な装置の装置ＩＤと同じでない場合には、携帯電話装置の動作モードの切り替えは行わない。
また、制御部７０１は、装置ＩＤが正当で、かつ送信された動作モード設定情報の動作モードが管理テーブル内の動作モードと一致しない場合は、自らが保持する管理テーブル内の動作モードに従って、携帯電話装置の動作モードの切り替えを行う。
【００４５】
以上のように本実施の形態によれば、制御部７０１がハンドオーバーの際に自動的に最新の管理テーブルを持つ基地局に管理テーブルを要求し、基地局から送信された管理テーブルに基づいて自らが保持する管理テーブルを更新するようにしているので、最新の管理テーブルで装置ＩＤと動作モードの認証を行うことができる。また、これにより使用者はより正確な情報で携帯電話装置の制御を受けることができる。
【図面の簡単な説明】
【００４６】
【図１】実施の形態１の携帯電話装置の構成図。
【図２】実施の形態１における携帯電話装置の処理動作を示すフローチャート。
【図３】実施の形態１における管理テーブルの一例を示した図。
【図４】実施の形態２の携帯電話装置の構成図。
【図５】実施の形態３の携帯電話装置の構成図。
【図６】実施の形態４の携帯電話装置の構成図。
【図７】実施の形態４における管理テーブルの一例を示した図。
【図８】実施の形態５の携帯電話装置の構成図。
【符号の説明】
【００４７】
１０１  アンテナ、１０２  無線送受信部、１０３  変復調部、１０４  誤り訂正符号化復号化部、１０５  音声符号化復号化部、１０６  受話部、１０７  送話部、１０８  制御部、１０９  受信通知部、１１０  鳴動部、１１１  振動部、１１２  ＬＥＤ部、１１３  アンテナ、１１４  受信部、１１５  認証部、１１６  位置情報入力部、１１７  記憶部、１１８  入力部、１１９  表示部、１２０  撮像部。
【図１】
2006033331.tif 000003
【図２】
2006033331.tif 000004
【図３】
2006033331.tif 000005
【図４】
2006033331.tif 000006
【図５】
2006033331.tif 000007
【図６】
2006033331.tif 000008
【図７】
2006033331.tif 000009
【図８】
2006033331.tif 000010